(57)【要約】【課題】室外熱交換器の全着霜を回避してファンへの着霜を防ぐことで、ファンの振動による騒音及びファンモータの軸や固定具等の破損を防止することを可能にした空気調和機を提供すること。【解決手段】圧縮機、室内熱交換器、膨張弁、室外熱交換器を配管により環状に連結し、室内ファン、室外ファンを備え、各種センサで検出した情報に基づいて前記圧縮機、前記室内ファン、前記膨張弁、前記室外ファンを制御する制御部を具備し、前記室外熱交換器に着霜した霜を落とす除霜運転機能を有する空気調和機において、現在の制御のまま暖房運転を継続すると前記室外熱交換器が全着霜に至る可能性があるか否かを判断する全着霜判断手段を備え、暖房運転中に前記室外熱交換器が全着霜に至る可能性があると判断した場合には、前記室外ファンの回転数の上限を通常暖房運転時よりも低い回転数に制限するように制御する。【選択図】図１
2014102045.tif 000002
【特許請求の範囲】
【請求項１】
圧縮機、室内熱交換器、膨張弁、室外熱交換器を配管により環状に連結し、室内ファン、室外ファンを備え、各種センサで検出した情報に基づいて前記圧縮機、前記室内ファン、前記膨張弁、前記室外ファンを制御する制御部を具備し、前記室外熱交換器に着霜した霜を落とす除霜運転機能を有する空気調和機において、
現在の制御のまま暖房運転を継続すると前記室外熱交換器が全着霜に至る可能性があるか否かを判断する全着霜判断手段を備え、暖房運転中に前記室外熱交換器が全着霜に至る可能性があると判断した場合には、前記室外ファンの回転数の上限を通常暖房運転時よりも低い回転数に制限するように制御することを特徴とする空気調和機。
【請求項２】
前記室外ファンの回転数の上限値の制御は、前記室外熱交換器の温度を計測する室外熱交温度センサによる計測温度が単位時間当たりに予め設定した所定値以上低下した場合には、設定した室外ファンの回転数の上限を引き上げるようにしたことを特徴とする請求項１記載の空気調和機。
【請求項３】
前記全着霜判断手段は、前記室外熱交換器の温度を計測する室外熱交温度センサと、外気温度を計測する外気温度センサとの２つのセンサで計測した温度に基づく温度判定条件、及び／又は、前記室外ファンの回転数を検出する機能に基づく室外ファンの回転数の変化に関するファン回転数条件を満たした場合に全着霜に至る可能性があると判断することを特徴とする請求項１又は２記載の空気調和機。
【請求項４】
前記温度判定条件は、前記外気温度センサによる温度をＴ１、前記室外熱交温度センサによる温度をＴ２とし、温度に関する第一閾値、及び、前記第一閾値よりも低温の第ニ閾値を設定したときに、
（１）Ｔ１≧第一閾値  かつ  Ｔ２≦第ニ閾値
（２）Ｔ１＜第一閾値  かつ  Ｔ２とＴ１の温度差が所定値以上
の何れかを満たす場合としたことを特徴とする請求項１乃至３記載の空気調和機。
【請求項５】
前記ファン回転数条件は、検出した実回転数が目標ファン回転数に対して所定の回転数以上低下した場合としたことを特徴とする請求項１乃至４記載の空気調和機。
【発明の詳細な説明】
【技術分野】
【０００１】
本発明は、空気調和機に関するものであり、低温多湿の環境で暖房運転を行う場合に、室外熱交換器及び室外ファンに対する着霜を防止する技術に関するものである。
【背景技術】
【０００２】
空気調和機において、低温多湿の環境で暖房運転を行う場合、大気が室外熱交換器（蒸発器）を通過する際に冷やされることで運転時の大気の露点温度以下となり、大気中に含まれる水分が霜となって室外熱交換器に付着することがある（大気中の雨、雪が付着する場合もある）。このような現象を、一般的に着霜という（室外熱交換器全体が着霜して熱交換できない状態となることを全着霜という）。暖房運転継続中は室外熱交換器が常に冷やされ続けることになるため、大気温度や湿度に変化が生じない場合には、暖房運転時間が長くなると室外熱交換器に付く着霜量も多くなり、最終的に全く大気が通過することができない全着霜が生じて、熱交換能力が著しく低下してしまう。
【０００３】
全着霜状態は空気調和機の暖房機能の大きな低下となるため好ましくない。これを機能回復させるためには霜を落として熱交換可能にする必要があり、その方法として、蒸発器として使っていた室外熱交換器を一時的に凝縮器として使用して室外熱交換器の温度を高めて熱で霜を溶かすことが行われる。これを除霜運転という。当然、除霜運転中は暖房機能が失われてしまう。なお、除霜運転の方法はこれに限らず、別途ヒータを用いた除霜手段やホットガスバイパスによる除霜手段などを用いた他の除霜の方法が存在する。
【０００４】
図４（ａ）及び（ｂ）に示すのは、プロペラファンを搭載した室外機を表した模式図である。図４（ａ）に示す室外機１０は、筐体１１内部に室外熱交換器１２を有しており、プロペラファン（以下、室外ファン）１４の回転によって大気取入口１３から取入れた大気と室外熱交換器１２に流れる冷媒との間で熱交換し、熱交換後の大気を吹出口１５から排出する構成となっている。なお、３１は、圧縮機であり、１７は、ファンモータである。
【０００５】
この図４のような室外機１０の場合、室外熱交換器１２が全着霜してしまって大気がほとんど通過できなくなると、大気取入口１３から大気を吸うことが出来ないため、図４（ｂ）に矢印で示すように、吹出口１５の中心部から大気を吸込む量が大きくなる。吹出口１５の中心部から吸込む大気は熱交換を行っていないため湿度の高い状態のままである。そして、露点温度以下まで冷却された室外熱交換器１２の影響で、この室外ファン１４の温度も露点温度以下となっており、この時に吸込んだ大気中の水分が霜となりプロペラファン１４に付着してしまう。
そして、この付着した霜が次第に成長すると室外ファン１４の重量バランスが崩れて振動するため、騒音の原因になり、また、ファンモータ１７の軸や固定具等が破損する恐れがある。
【０００６】
着霜時の室外ファンの送風音の増加を防止することを課題としたものとして、例えば、特許文献１が挙げられる。この特許文献１に記載の室外機は、熱交換器への着霜を検知した場合に、室外ファンへの入力を一定に保つように制御することで、通風抵抗が増加した場合には室外ファンの回転数が自然に低下して、送風音の増加を防ぐ構成となっている。
【特許文献１】特開２００７−２９２４３９号公報
【発明の開示】
【発明が解決しようとする課題】
【０００７】
前記特許文献１によれば騒音は防ぐことができるが、室外熱交換器への着霜の進行は防ぐことができないので、図４（ｂ）に示すような、室外熱交換器が霜で塞がる状況はどうしても生じてしまう。よって、この特許文献１においても、室外熱交換器が全着霜してしまった場合には除霜（デフロスト）運転を行うことになる。しかし、除霜運転を行うことで室外熱交換器に付着した霜は取り除くことができるが、室外ファンに付着した霜は取り除くことが難しい。よって、暖房運転と除霜運転を繰り返していると室外ファンに付着した霜が成長して大きくなってしまう。すなわち、特許文献１の制御のみでは、室外ファンへの着霜を防げず、ファンモータの軸や固定具等が破損するおそれを取り除けないという問題がある。
【０００８】
従来は、この現象に対してはある程度の霜が付き、室外ファンが振動しても問題ない強度のファンモータの軸、ファンモータ固定具にして対応している。しかしながら、室外ファンが大きい機種の場合や、より湿度が高い低温の環境で暖房運転した場合に室外ファンに付着する霜の量が大きく、従来技術では対応できない場合がある。
【０００９】
本発明は、上記問題点に鑑みなされたものであり、室外熱交換器１２の全着霜を回避して室外ファン１４への着霜を防ぐことで、室外ファン１４の振動による騒音及びファンモータ１７の軸や固定具等の破損を防止することを可能にした空気調和機を提供することを目的とするものである。
【課題を解決するための手段】
【００１０】
本発明の請求項１は、圧縮機、室内熱交換器、膨張弁、室外熱交換器を配管により環状に連結し、室内ファン、室外ファンを備え、各種センサで検出した情報に基づいて前記圧縮機、前記室内ファン、前記膨張弁、前記室外ファンを制御する制御部を具備し、前記室外熱交換器に着霜した霜を落とす除霜運転機能を有する空気調和機において、現在の制御のまま暖房運転を継続すると前記室外熱交換器が全着霜に至る可能性があるか否かを判断する全着霜判断手段を備え、暖房運転中に前記室外熱交換器が全着霜に至る可能性があると判断した場合には、前記室外ファンの回転数の上限を通常暖房運転時よりも低い回転数に制限するように制御することを特徴とする空気調和機である。
【００１１】
本発明の請求項２は、請求項１に加えて、前記室外ファンの回転数の上限値の制御は、前記室外熱交換器の温度を計測する室外熱交温度センサによる計測温度が単位時間当たりに予め設定した所定値以上低下した場合には、設定した室外ファンの回転数の上限を引き上げるようにしたことを特徴とする空気調和機である。
【００１２】
本発明の請求項３は、請求項１又は２に加えて、前記全着霜判断手段は、前記室外熱交換器の温度を計測する室外熱交温度センサと、外気温度を計測する外気温度センサとの２つのセンサで計測した温度に基づく温度判定条件、及び／又は、前記室外ファンの回転数を検出する機能に基づく室外ファンの回転数の変化に関するファン回転数条件を満たした場合に全着霜に至る可能性があると判断することを特徴とする空気調和機である。
【００１３】
本発明の請求項４は、請求項１乃至３に加えて、前記温度判定条件は、前記外気温度センサによる温度をＴ１、前記室外熱交温度センサによる温度をＴ２とし、温度に関する第一閾値、及び、前記第一閾値よりも低温の第ニ閾値を設定したときに、
（１）Ｔ１≧第一閾値  かつ  Ｔ２≦第ニ閾値
（２）Ｔ１＜第一閾値  かつ  Ｔ２とＴ１の温度差が所定値以上
の何れかを満たす場合としたことを特徴とする空気調和機である。
【００１４】
本発明の請求項５は、請求項１乃至４に加えて、前記ファン回転数条件は、検出した実回転数が目標ファン回転数に対して所定の回転数以上低下した場合としたことを特徴とする空気調和機である。
【発明の効果】
【００１５】
請求項１記載の発明によれば、暖房運転中に前記室外熱交換器が全着霜に至る可能性があると判断した場合には、前記室外ファンの回転数の上限を通常暖房運転時よりも低い回転数に制限するように制御するようにしたので、室外ファンによって室外機の吹出口側から吸込まれる大気の量を減らすことが可能となり、これによって室外ファンへの着霜を抑制することが可能となる。
【００１６】
請求項２記載の発明によれば、前記室外ファンの回転数の上限値の制御は、前記室外熱交換器の温度を計測する室外熱交温度センサによる計測温度が単位時間当たりに予め設定した所定値以上低下した場合には、設定した室外ファンの回転数の上限を引き上げるようにしたので、過度の熱交換能力の低下を防止して使用者に不快感を与えないようにすることが可能となる。
【００１７】
請求項３記載の発明によれば、前記全着霜判断手段は、前記室外熱交換器の温度を計測する室外熱交温度センサと、外気温度を計測する外気温度センサとの２つのセンサで計測した温度に基づく温度判定条件、及び／又は、前記室外ファンの回転数を検出する機能に基づく室外ファンの回転数の変化に関するファン回転数条件を満たした場合に全着霜に至る可能性があると判断するようにしたので、全着霜に至る可能性があることを的確に判断することが可能となる。
【００１８】
請求項４記載の発明によれば、本発明特有の温度判定条件により、熱交換器が全着霜に至る可能性があることを正確に判別できる。
【００１９】
請求項５記載の発明によれば、ファン回転数条件は、検出した実回転数が目標ファン回転数に対して所定の回転数以上低下した場合としたので、室外ファンに着霜が生じて回転数が落ち始めたことを検出することが可能となる。
【図面の簡単な説明】
【００２０】
【図１】本発明による空気調和機における制御方法を表したフローチャート図である。
【図２】本発明による空気調和機の構成を表した回路図である。
【図３】本発明の空気調和機における制御回路の構成の一例を示したブロック図である。
【図４】プロペラファンを搭載した室外機の構成の一例を表した模式図である。
【発明を実施するための形態】
【００２１】
本発明による空気調和機は、圧縮機、室内熱交換器、膨張弁、室外熱交換器を配管により環状に連結し、室内ファン、室外ファンを備え、各種センサで検出した情報に基づいて前記圧縮機、前記室内ファン、前記膨張弁、前記室外ファンを制御する制御部を具備し、前記室外熱交換器に着霜した霜を落とす除霜運転機能を有する空気調和機において、現在の制御のまま暖房運転を継続すると前記室外熱交換器が全着霜に至る可能性があるか否かを判断する全着霜判断手段を備え、暖房運転中に前記室外熱交換器が全着霜に至る可能性があると判断した場合には、前記室外ファンの回転数の上限を通常制御時よりも低い回転数に制限するように制御することを特徴とするものである。以下、詳細に説明を行う。
【実施例１】
【００２２】
本発明の実施の形態を図面に基づいて説明する。図２に示すのは、本発明による空気調和機の構成を表した回路図である。この図２において、空気調和機は室外機１０と室内機２２で構成され、前記室外機１０の圧縮機３１、四方弁３６から、前記室内機２２の室内熱交換器２６を通り、前記室外機１０の膨張弁２７、室外熱交換器１２を経て、前記圧縮機３１に戻るように配管により環状に連結して暖房運転（点線矢印）を行い、四方弁３６の切り替えにより、冷房運転（実線矢印）に切替える。
【００２３】
さらに詳しくは、前記圧縮機３１の周囲には、前記圧縮機３１の筐体に取り付けられた圧縮機温度センサ３２と前記圧縮機３１の吐出配管に取り付けられた圧縮機吐出側温度センサ３３と前記圧縮機３１の吸入配管に取り付けられた吸入側温度センサ３４を有し、吐出側は、高圧センサ３０とオイルセパレータ３５と逆止弁１８を介して前記四方弁３６に連結されている。また、圧縮機３１の吸入側とオイルセパレータ３５の間に配管で連結されている電磁弁１９は、起動時に冷媒が所定温度になるまでオイルセパレータ３５と圧縮機３１の吸入側をバイパスするために開放される。
前記室内機２２の室内熱交換器２６には、この室内熱交換器２６の室内熱交換器の温度を検出する室内熱交中間温度センサ２３が設けられ、また、前記室内熱交換器２６に臨ませてこの室内熱交換器２６に風を送る室内ファン２５と室内機２２の設置された部屋の温度を検出する室内温度センサ２４が設けられて室内機２２を構成している。
前記膨張弁２７と室外熱交換器１２との間には、ストレーナ３８が介在されて連結されている。
前記室外機１０の室外熱交換器１２には、この室外熱交換器１２の温度を検出する室外熱交温度センサ２８が設けられ、室外熱交換器１２の近傍に外気温度センサ２９が設けられている。この室外熱交温度センサ２８で検出される室外熱交換器１２の温度は、室外熱交換器１２の中を通過する冷媒の温度（飽和温度）と等しい。
前記四方弁３６と圧縮機３１の吸入側の間には、低圧センサ２１とサブアキュムレータ２０が設けられている。
【００２４】
図３は、本発明の空気調和機における制御回路の構成の一例を示したブロック図である。この図３において、各種演算、駆動信号の出力、モードの切り替えなどの制御を行う制御部３９と、演算データ、操作信号などを入力するための入力部４０と、暖房運転、冷房運転、除霜運転等、各運転モードの詳細な設定などを記憶するＲＡＭ４１と、操作手順などのプログラム等を記憶するＲＯＭ４２と、前記四方弁３６、電磁弁１９、膨張弁２７、室外ファン１４その他の室外機１０の駆動部を制御する室外機制御部４３と、室内機２２を制御する室内機制御部４４とで構成されている。
前記制御部３９には、室外熱交温度センサ２８、及び、外気温度センサ２９と、これら以外の圧縮機温度センサ３２、吐出側温度センサ３３、吸入側温度センサ３４、室内熱交中間温度センサ２３、室内温度センサ２４などの各種センサ３７とが接続されている。
前記制御部３９、入力部４０、ＲＡＭ４１、ＲＯＭ４２、室外機制御部４３、室内機制御部４４からなる制御回路は、前記室内機２２と室外機１０のいずれに設けてもよい。
【００２５】
ここで、本発明による空気調和機は、室外熱交換器１２の全着霜を回避して室外ファン１４への着霜を防ぐことで、室外ファン１４の振動による騒音及びファンモータ１７の軸や固定具等の破損を防止するようにしたことを特徴とするものであり、暖房運転中に前記室外熱交換器が全着霜に至る可能性があると判断した場合には、前記室外ファンの回転数の上限を通常制御時よりも低い回転数に制限するように制御することで、室外機１０の吹出口１５から吸込む大気の量を抑えてファンに付着する霜の量を抑制するようにしたものである。
【００２６】
通常、空気調和機において最初に暖房運転を開始する場合には、冷えた室内を所定温度まで暖める必要があるため、一定時間連続（例えば、３５分間連続）で暖房運転を行うように制御する。この間は、室外機１０の室外熱交換器１２に対して着霜が進行したとしても、室内温度を上昇させることを優先することになる。よって、基本的には設定した時間経過、若しくは、設定した気温条件を満足した時に除霜運転を行う構成となっているが、最初の暖房運転開始時には、除霜運転の条件を満たしたとしても除霜運転に移行せずに暖房運転を行うようにしている。しかし、この暖房運転開始からの一定時間において全着霜に至る可能性があると判断した場合には、室外ファン１４に霜が着きやすい状況であるので本発明特有の制御を行うものとする。全着霜に至る可能性があると判断する際には、１つ目は外気温度センサ２９の温度Ｔ１及び室外熱交温度センサ２８の温度Ｔ２を用いた温度判定条件、２つ目は室外機のファン回転数で判定する。具体的な条件を次に示す。
【００２７】
図１に示すのは、本発明による空気調和機における初回の暖房運転開始時の制御方法を表したフローチャート図である。この図１において、先ず、暖房運転を開始（Ｓ１０１）したら、そのときの時刻を記憶しておく。また、暖房運転開始時の外気温度Ｔ１（Ｓ１０２）、及び、室外機熱交換器温度Ｔ２（Ｓ１０３）を検出する。この検出したＴ１とＴ２について、以下の温度判定条件を満たすか否かを判別する（Ｓ１０４）。
［温度判定条件］
（１）Ｔ１≧−１０℃  かつ  Ｔ２≦−１７℃
（２）Ｔ１＜−１０℃  かつ  Ｔ２≦Ｔ１−７℃
（３）Ｔ１＜−１０℃  かつ  Ｔ２≦−２０℃
上記（１）〜（３）の何れかの条件を満たすかを判別し、満たす場合には（Ｓ１０５）へ移行し、満たさない場合には（Ｓ１０２）へ移行する。
【００２８】
ここで、上記（１）〜（３）の温度判定条件において、−１０℃は温度に関する第一閾値であり、−１７℃は温度に関する第二閾値であり、−２０℃は温度に関する第三閾値である。第一閾値、第二閾値及び第三閾値はこの値に限られるものではなく、室外熱交換器１２の全着霜に至る可能性があることを的確に判断できるように室外機１０の大きさや構造に合わせて適宜変更して設定するものとする。また、上記（２）においてＴ１とＴ２の間に７℃の温度差があることを条件としている。これは第一閾値と第二閾値との温度差が７℃であるのに合わせて設定したが、必ずしもこれに限らず、この温度差についても適宜変更して設定するものとする。さらに、−２０℃という極低温の第三閾値を設定しているのは、吹雪による雪が付着することなどによって室外熱交換器１２の温度が急激に低下することがあり、このような場合にも全着霜の可能性が高いため、第三閾値として設定している。
【００２９】
温度条件を満たした場合には、次に、室外機１０の室外ファン１４の回転数を検出する（Ｓ１０５）。通常、室外ファン１４に対して目標とする回転数を設定して制御を行っているが、目標回転数と実回転数にズレが生じる場合があり、特に、室外ファン１４に着霜して負荷が大きくなっているような場合には両者のズレは大きくなる。そこで、以下のようなファン回転数条件を満たすか否かを判別する（Ｓ１０６）。
［ファン回転数条件］
目標ファン回転数がＡｒｐｍ、実回転数がＢｒｐｍのとき、  Ｂ≧Ａ−２５
（全着霜により、室外ファン１４に負荷がかかり目標回転数まで回らなくなる。）
すなわち、実回転数がＢｒｐｍが目標ファン回転数Ａｒｐｍよりも２５回転以上小さくなっている場合には、室外熱交換器１２は全着霜してしまっていて室外ファン１４にも着霜して負荷がかかり目標回転数まで回らなくなっている可能性が高いと判断する。
このファン回転数条件を満たす場合には（Ｓ１０７）へ移行し、満たさない場合には（Ｓ１０２）へ移行する。
【００３０】
以上の温度判定条件及びファン回転数条件を満たした場合、ファン回転数上限制限モードへ移行する（Ｓ１０７）。ここで、ファン回転数上限制限モードは、通常暖房運転時の室外機１０の室外ファン１４の回転数の上限よりも低い回転数を上限として設定するモードである。具体的な例としては、例えば、ファンの回転数を１１段階のステップとし、１Ｓｔｅｐが最も回転数が低く、１１Ｓｔｅｐが最も回転数が高いというように設定しておいて、通常暖房運転時においては１１Ｓｔｅｐまで使用可能であるが、ファン回転数上限制限モードにおいてはこれをもっと低いＳｔｅｐで制限する。
このファン回転数上限制限モードへの移行にあたっては、先ず、直前の室外熱交温度Ｔ２（ｎ−１）を検出してメモリに記憶し、その後に、例えば、ファンの回転数の上限を１１Ｓｔｅｐ→８Ｓｔｅｐに変更する制御を行う。
【００３１】
次に、ファン回転数上限制限モードが動作してから３０秒経過後に、室外熱交温度Ｔ２（ｎ）を検出する（Ｓ１０８）。そして、Ｔ２（ｎ−１）−Ｔ２（ｎ）≦３℃を満たすか否かを判定する（Ｓ１０９）。３℃以上の温度低下が認められる場合には、（Ｓ１１０）へ移行してファンの回転数の上限を１Ｓｔｅｐ上げ、再度３０秒経過後に、室外熱交温度Ｔ２（ｎ）を検出する（Ｓ１０８）。そして、Ｔ２（ｎ−１）−Ｔ２（ｎ）≦３℃を満たすか否かを判定する（Ｓ１０９）。これを３℃以上温度低下が認められなくなるまで繰り返す。３℃以上の温度低下が認められない場合には、そのままファン回転数上限制限モードを継続する（Ｓ１１１）。ここで、室外熱交温度Ｔ２（ｎ）を検出する理由は、室外ファン１４の回転数を落とすと、室外熱交換器１２の熱交換能力が低下して暖房能力が低下するため、使用者に不快感を与えるおそれがあるからである。室外熱交換器１２に流れる冷媒は、外気より温度が低いため、室外ファン１４の回転数を落とすと外気と熱交換され難くなることで室外熱交換器１２の温度は冷媒の温度の影響で低下してしまう。そこで、室外熱交換器１２の温度が３℃以上低下した場合を暖房能力低下の判定基準として、該当する場合には室外ファン１４の回転数を上げることで、過度の熱交換能力の低下を防止して使用者に不快感を与えないようにしている。
ファン回転数上限制限モードの解除条件は、圧縮機３１が停止した場合とする。なお、室外熱交温度Ｔ２（ｎ）を検出するタイミングをファン回転数上限制限モードが動作してから３０秒経過後とし、また、温度変化の閾値を３℃としたが、これらはあくまで一例であり、試験・シミュレーション等の結果に基づいて最適な数値を選択すべきものであり、適宜変更可能である。
【００３２】
なお、図１のフローチャートの制御とは別に、本発明は室外熱交換器１２に対して除霜運転を行うべきか否かを判定する判定手段を前記制御部３９に有しており、この判定手段において除霜運転が必要であると判定した場合には、暖房運転を停止して除霜運転へ切替えることになる。また、前述のとおり、空気調和機において最初に暖房運転を開始する場合には、冷えた室内を所定温度まで暖める必要があるため、除霜運転開始の条件を満たしたとしても一定時間連続（例えば、３５分間連続）で暖房運転を行うように制御することがある。しかし、このような場合でも一定時間経過後には除霜運転に移行する。そして、除霜運転を行う場合には一旦圧縮機３１を停止することになるので、ファン回転数上限制限モードも解除されることになる。
除霜運転の方法としては、図２における四方弁３６を切替えて冷房運転時の接続で運転することで室外熱交換器１２を温めて霜を溶かす方法に限らず、別途ヒータを用いた除霜手段やホットガスバイパスによる除霜手段などによって適宜除霜を行う。
【００３３】
以上のように、本発明の空気調和機によれば、暖房運転中に室外熱交換器１２が全着霜に至る可能性があると判断した場合には、室外ファン１４の回転数の上限を通常暖房運転時よりも低い回転数に制限する制御（ファン回転数上限制限モード）を行うようにしたので、室外ファン１４によって図４（ｂ）のように吹出口１５側から吸込まれる大気の量を減らすことが可能となり、これによって室外ファン１４への着霜を抑制することが可能となる。
【符号の説明】
【００３４】
１０…室外機、１１…筐体、１２…室外熱交換器、１３…大気取入口、１４…室外ファン、１５…吹出口、１７…ファンモータ、１８…逆止弁、１９…電磁弁、２０…サブアキュムレータ、２１…低圧センサ、２２…室内機、２３…室内熱交中間温度センサ、２４…室内温度センサ、２５…室内ファン、２６…室内熱交換器、２７…膨張弁、２８…室外熱交温度センサ、２９…外気温度センサ、３０…高圧センサ、３１…圧縮機、３２…圧縮機温度センサ、３３…吐出側温度センサ、３４…吸入側温度センサ、３５…オイルセパレータ、３６…四方弁、３７…各種センサ、３８…ストレーナ、３９…制御部、４０…入力部、４１…ＲＡＭ、４２…ＲＯＭ、４３…室外機制御部、４４…室内機制御部。
【図１】
2014102045.tif 000003
【図２】
2014102045.tif 000004
【図３】
2014102045.tif 000005
【図４】
2014102045.tif 000006